(57)【要約】【課題】再生するメディアの挿脱操作の際には安定させて挿入しやすくすることができ、また、奥行き、幅方向の寸法が小さなまま、厚さ方向の寸法を薄くすることができるメディア再生表示装置を提供する。【解決手段】制御基板４を天井１３側に配置し、斜め下向きに配置したメディア再生デバイス３と当たる部分に穴を開け重ねて配置した構造を有するメディア再生ユニット５と、収納時に斜め下向きに配置した表示デバイス７と、制御基板８を回転機構１２側に配置した構造を有する表示ユニット９を備え、光ディスクの挿脱を容易とし、奥行きおよび幅方向の寸法を小さくしたまま厚さ方向の寸法を薄くし、さらに装置全体の形状をフラットにしてデザイン性を向上させる。【選択図】  図１
2006024990.tif 000002
【特許請求の範囲】
【請求項１】
メディアに記録された情報を再生するメディア再生デバイスと、前記メディア再生デバイスで再生された映像情報を表示する表示デバイスとを有し、室内の天井面に搭載される天井搭載のメディア再生表示装置であって、前記メディアを前記天井面に対して斜め方向に挿入可能に前記メディア再生デバイスが固定されたメディア再生表示装置。
【請求項２】
前記表示デバイスが前記メディア再生デバイスと略平行に収納可能である請求項１記載のメディア再生表示装置。
【請求項３】
前記メディア再生デバイスを制御する制御基板が前記メディア再生デバイスに対して前記天井側に配置され、前記制御基板は前記メディア再生デバイスの一部が貫通する貫通穴を有した請求項１または請求項２記載のメディア再生表示装置。
【請求項４】
前記メディア再生デバイスを制御する制御基板が、前記メディア再生デバイスを挟んで分割されて配置された請求項１または請求項２記載のメディア再生表示装置。
【請求項５】
前記表示デバイスを回動可能に支持する回動機構を有し、前記表示デバイスを制御する表示デバイス制御基板を前記表示デバイスの回動機構側に配置した請求項１乃至請求項４のいずれか記載の表示装置。
【請求項６】
メディアに記載された情報を再生するメディア再生デバイスと、前記メディア再生デバイスで再生された映像情報を表示する表示デバイスとを有し、室内の床面に搭載される床側搭載のメディア再生表示装置であって、前記メディアを前記床面に対して斜め方向に挿入可能に前記メディア再生デバイスが固定されたメディア再生表示装置。
【請求項７】
前記表示デバイスが前記メディア再生デバイスと略平行に収納可能である請求項６記載のメディア再生表示装置。
【請求項８】
前記メディア再生デバイスを制御する制御基板が前記メディア再生デバイスに対して前記床側に配置され、前記制御基板は前記メディア再生デバイスの一部が貫通する貫通穴を有した請求項６または請求項７記載のメディア再生表示装置。
【請求項９】
前記メディア再生デバイスを制御する制御基板が、前記メディア再生デバイスを挟んで分割されて配置された請求項６または請求項７記載の表示装置。
【請求項１０】
前記表示デバイスを回動可能に支持する回動機構を有し、前記表示デバイスを制御する表示デバイス制御基板を前記表示デバイスの回動機構側に配置した請求項６乃至請求項９のいずれか記載のメディア再生表示装置。
【発明の詳細な説明】
【技術分野】
【０００１】
本発明は、メディアに記録された音声や映像情報を再生表示するためのメディア再生ユニットと表示ユニットを一体化した装置であって、車両、航空機、船などの天井あるいは床に搭載されるメディア再生表示装置に関するものである。
【背景技術】
【０００２】
従来の表示装置は、図８に示すように、メディア再生ユニット８１と収納時における表示ユニット６２をそれぞれ水平にした状態で上下に重ねた構造、又は図９に示すように、車両などの前後方向に略一直線に並べた構造、あるいは、図１０に示すように、車両などの左右方向に並べた構造を有していた。
【０００３】
また、メディアの挿脱操作をし易いようにメディア挿入部が斜め下向きに降りるように昇降動作可能な構成が用いられていた。（たとえば特許文献１参照）。
【特許文献１】特表２００２−００９９７６号公報
【発明の開示】
【発明が解決しようとする課題】
【０００４】
しかしながら、従来のメディア再生表示装置においては、メディア挿入部が昇降動作不可能なものは、メディア再生デバイス８１に対する光ディスクの挿脱方向が、天井に対して水平であり、座席から挿脱しにくいという問題があり、メディア挿入部が昇降動作可能であっても、外部からの振動を受けている際にメディア挿入部が不安定となるため、メディアの読取り精度が悪化し、音飛びなどの現象が発生したり、挿脱操作でメディアへ傷をつけてしまう可能性があった。また、昇降動作可能なメディア挿入部は、メディア再生デバイス全体を囲う必要があるため、装置の厚さが厚くなるといった課題があった。
【０００５】
また、メディア再生デバイス８１と表示デバイス８２を上下に重ねた構造では、厚さ方向の寸法が大きくなり、前後、左右に並べた構造では奥行及び幅方向の寸法が大きくなるため、車両天井構造やサンルーフなどの配置によっては、搭載できないという問題があった。
【０００６】
本発明は、従来の問題を解決するためになされたもので、再生するメディアの挿脱操作の際には安定させて挿入し易くすることができ、また、奥行き、幅方向の寸法が小さなまま厚さ方向の寸法を薄くすることができるメディア再生表示装置を提供することを目的とする。
【課題を解決するための手段】
【０００７】
本発明のメディア再生表示装置は、メディアに記録された情報を再生するメディア再生デバイスと、前記メディア再生デバイスで再生された映像情報を表示する表示デバイスとを有した室内の天井面に搭載される天井搭載のメディア再生表示装置であって、前記メディアを前記天井面に対して斜め方向に挿入可能に前記メディア再生デバイスが固定された構成を有している。
【０００８】
この構成により、簡単な構成でメディア再生表示装置のメディア挿脱部が天井内に隠れず、安定した状態でメディアを斜め方向に挿入することができ、メディアの挿脱作業を容易に行うことが可能になる。
【０００９】
また、本発明のメディア再生表示装置は、前記表示デバイスが前記メディア再生デバイスと略平行に収納可能である構成を有している。
【００１０】
この構成により、メディアの挿脱も容易となり、天井内の空間を有効利用できるため厚さ方向を薄くすることができる。
【００１１】
また、本発明のメディア再生表示装置は、前記メディア再生デバイスを制御する制御基板が前記メディア再生デバイスに対して前記天井側に配置され、前記制御基板は前記メディア再生部の一部が貫通する貫通穴を有した構成を有している。
【００１２】
この構成により、奥行き、幅方向の寸法が小さなまま厚さ方向の寸法を薄くすることができ、さらに装置内の熱を上方に逃がすことができるため、装置内の温度上昇を抑えることができる。
【００１３】
また、本発明のメディア再生表示装置は、前記メディア再生デバイスを制御する制御基板が、前記メディア再生デバイスを挟んで分割されて配置された構成を有している。
【００１４】
この構成により、奥行き、幅方向の寸法が小さなまま厚さ方向の寸法を小さくすることができ、さらに装置内の熱を上方に逃がすことができるため、装置内の温度上昇を抑えることができ、また、メディア再生デバイスを制御する制御基板を分割して配置できるようにしているため各制御基板のレイアウトの自由度が増すこととなる。
【００１５】
また、本発明のメディア再生表示装置は、前記表示デバイスを回動可能に支持する回動機構側を有し、前記表示デバイスを制御する表示デバイス制御基板を前記表示デバイスの回動機構側に配置した構成を有している。
【００１６】
この構成により、厚さ方向の寸法を小さくしたまま、装置全体の形状をフラットにすることができるのでデザイン性の向上が可能になる。
【００１７】
さらに、本発明の表示装置は、メディアに記載された情報を再生するメディア再生デバイスと、前記メディア再生デバイスで再生された映像情報を表示する表示デバイスとを有した室内の床面に搭載される床側搭載のメディア再生表示装置であって、前記メディアを前記床面に対して斜め方向に挿入可能に前記メディア再生デバイスが固定されている。
【００１８】
この構成により、特別な構造を用いることなく簡単な構成でメディア再生表示装置のメディア挿脱部が床面内に隠れず、安定した状態でメディアを斜め方向に挿入することができ、メディアの挿脱作業を容易に行うことが可能になる。
【００１９】
また、本発明のメディア再生装置は、前記表示デバイスが前記メディア再生デバイスと略平行に収納可能である構成を有している。
【００２０】
この構成により、メディアの挿脱も容易となり、床面内の空間を有効利用できるため厚さ方向を薄くすることができる。
【００２１】
また、本発明のメディア再生装置は、前記メディア再生デバイスを制御する制御基板が前記メディア再生デバイスに対して前記床側に配置され、前記制御基板は前記メディア再生デバイスの一部が貫通する貫通穴を有した構成を有している。
【００２２】
この構成により、奥行き、幅方向の寸法が小さなまま厚さ方向の寸法を薄くすることができ、さらに装置内の熱を下方に逃がすことができるため、装置内の温度上昇を抑えることができる。
【００２３】
また、本発明のメディア再生装置は、前記メディア再生デバイスを制御する制御基板が、前記メディア再生デバイスを挟んで分割されて配置された構成を有している。
【００２４】
この構成により、奥行き、幅方向の寸法が小さなまま厚さ方向の寸法を小さくすることができ、さらに装置内の熱を下方に逃がすことができるため、装置内の温度上昇を抑えることができ、また、メディア再生デバイスを制御する制御基板を分割して配置できるようにしているため各制御基板のレイアウトの自由度が増すこととなる。
【００２５】
また、本発明のメディア再生装置は、前記表示デバイスを回動可能に支持する回動機構を有し、前記表示デバイスを制御する表示デバイス制御基板を前記表示デバイスの回動機構側に配置した構成を有している。
【００２６】
この構成により、厚さ方向の寸法を小さくしたまま、装置全体の形状をフラットにすることができるのでデザイン性の向上が可能になる。
【発明の効果】
【００２７】
本発明は、メディアを前記天井面に対して斜め方向に挿入可能に前記メディア再生デバイスが固定された構成を設けることにより、安定した状態メディア挿脱操作が可能になるとともにメディアの挿脱も容易となり、天井側の空間を有効利用できるため装置の厚さ方向の寸法を薄くできるという効果を有する表示装置を提供することができるものである。
【００２８】
また、本発明は、メディアを前記床面に対して斜め方向に挿入可能に前記メディア再生デバイスが固定された構成を設けることにより、安定した状態メディア挿脱操作が可能になるとともにメディアの挿脱も容易となり、床面側の空間を有効利用できるため装置の厚さ方向の寸法を薄くできるという効果を有する表示装置を提供することができるものである。
【発明を実施するための最良の形態】
【００２９】
以下、本発明の実施形態の表示装置について、図面を用いて説明する。
【００３０】
（第１実施形態）
図１は、本発明の第１実施形態の表示装置１の断面図を示す。このメディア再生表示装置１は、取付面である天井１３に若干埋没した状態で取り付けられており、主に不要輻射対策あるいは防塵対策のために、メディア再生ユニットケース２でメディア再生ユニット５を覆った状態になっている。
【００３１】
また、表示ユニット９は、表示ユニット９を開閉するための回動機構１０の支軸を介して、メディア再生表示装置１に取り付けられている。さらに、メディア再生ユニット５と表示ユニット９を電気的に接続する接続ケーブル１２とを有しており、メディア再生ユニット５と表示ユニット９との間で映像信号などの電気信号や制御信号などの送受信を行っている。
【００３２】
本実施の形態において以下メディア再生ユニット５としてＤＶＤを１枚ずつ挿入して再生するためのＤＶＤ再生ユニットを例に説明を行うが、メディア再生ユニット５として、ＤＶＤ再生ユニット以外にもＣＤ再生ユニットやＭＤ再生ユニットあるいはカセットテープ再生ユニットなどでも良く、さらにはＳＤやメモリスティックなどのメディア再生ユニットとしても、着脱可能なＨＤＤとしてもよく、またメディアを複数枚挿入して装置内部でメディアを選択して再生する多連奏型のものを用いてもよい。
【００３３】
メディア再生ユニット５において、挿入された光ディスクの再生を行うための図示しない光ピックアップやターンテーブルなどのメカトロ部品を内蔵したメディア再生デバイス３は、メディア挿入口２１がメディア再生表示装置１の取付面である天井１３に対して斜め下向きに搭載され、再生すべきメディアを下方向から斜め上方向に向けて挿入可能となるように固定されている。
【００３４】
このように、操作者が下方向から斜め上方向に向けて再生したいメディアを挿入できるため、挿入操作が楽になる。また、メディア再生ユニットが固定されているため、外部からの振動を受けても安定してメディア挿入操作ができる。
【００３５】
また、メディア再生デバイス３を電気的に制御するための電子部品などを搭載したメディア再生デバイス制御部３０は、メディア再生表示装置１全体の電子制御を行うための電子部品などを搭載し、天井１３に並行に設置されたメディア再生デバイスおよび表示ユニット９を制御する制御基板（以下メイン基板という）４上に設けられている。
【００３６】
そして、メイン基板の下には、メディア挿入口２１が下になるようにメディア再生デバイス３を斜め下向きに搭載すると、メディア再生デバイス３の最後部の角が当たるため、その部分のみメイン基板４に穴を開けている。
【００３７】
つまり、メディア再生デバイス３の一部とメイン基板４が高さ方向において重なるように、横方向においてはメイン基板４がメディア再生デバイス３を挟むように配置されている。これによりメディア再生デバイス３をさらに上方に搭載することができ、より薄型化を実現しているとともに、メディア再生デバイス３とメイン基板４との間に形成された空間を通じて放熱が可能となっている。
【００３８】
さらに、メイン基板４には、外部からのメディア再生表示装置１への電源を受給したり、あるいは、メディア再生デバイス３が出力する映像信号や音声信号を制御する映像出力部や音声出力部を介し、外部機器へ音声信号や映像信号などを出力するためのコネクタ１１が設けられている。
【００３９】
表示ユニット９は、内部に液晶ディスプレイ、有機ＥＬディスプレイ、無機ＥＬディスプレイ、ＦＥＤ(Field Emission  Display)、ＳＥＤ（Surface-Conduction  Electron--Emitter  Display）、ＶＦＤ（Vacuum  Fluorescent  Display）、プラズマディスプレイ、ブラウン管などの表示デバイス７と、表示デバイス７を電子制御する表示デバイス制御部を有した表示基板８と、これらを覆うケース６などから構成されている。
【００４０】
また、表示ユニット９の収納時には表示デバイス７が斜め下向きになるよう配置され、表示基板８は、表示ユニットを収納するための回転機構１０側に配置された構成としている。
【００４１】
以上のように構成された表示装置１について、その動作を説明する。
【００４２】
図２は、本発明の第１実施形態の表示装置を車両に搭載した状態の側面図で、図３は、本発明の第１実施形態の表示装置を車両に搭載した状態の正面図である。
【００４３】
図２および図３に示すように、表示装置１は天井１３に搭載され、搭乗者がそのメディア再生ユニット５の挿入口２１に光ディスク２０を挿入口２１に挿入しはじめると、メディア再生ユニット５の挿入口近傍で光ディスク２０が挿入されたことが検出され、図示していないローラが回転し始め、このローラとメディア再生ユニット５の筐体などで光ディスク２０を挟持しながらメディア再生ユニット５の内部に引き込む動作が行われ、光ディスク２０がメディア再生ユニット５の再生位置に載置される。
【００４４】
そして、その後再生操作を行うと、表示デバイス７により再生された画像を見ることができる。また、音声は車両に搭載されたスピーカーやワイヤレスヘッドホン、ワイヤードヘッドホンなどの音声再生装置（図示せず）で聞くことができる。
【００４５】
また、光ディスク２０の再生が終了したり他の光ディスクに交換するなど、光ディスク２０をメディア再生ユニット５から排出する際は、イジェクト釦（図示せず）を押すなどして排出動作に移行させると、ディスク挿入時とは逆の動作を行う。
【００４６】
すなわち、上述した図示していないローラが逆回転することで、ディスク２０がディスク再生位置からディスク挿入口２１に向けて排出される。その後、光ディスク２０が落下しない程度の位置でローラの回転が停止し、排出された光ディスク２０を操作者が引き抜くこととなる。
【００４７】
表示ユニット９は、搭乗者が装置を使用しないときや、運転者が後方確認するなどの場合は、閉じて収納することができる。この時、すなわち表示ユニット９の収納時に表示デバイス７がメディア再生デバイスと略平行になるように斜めに配置されているので、よりいっそうメディア再生表示装置１の薄型化がはかれることとなり、運転者の後方視界を広く確保することができる。
【００４８】
さらに、収納時には天井とメディア再生表示装置１の底面部とが略平行になるように表示部のケース６を形成することで表示ユニット９の収納時におけるメディア再生表示装置１の底面部に凹凸ができることなく、デザイン性の向上が図れるものであるとともに、回動機構１０側において表示デバイス７と表示部のケース６との間に空間が形成されるので、この空間を利用して表示デバイス用制御基板８を配置することが可能になる。
【００４９】
図４は、本発明の第１実施形態の表示装置１のシステムブロック図である。
【００５０】
メディア再生表示装置１は、上記のように、メディア再生ユニット５と表示ユニット９とを有している。メディア再生ユニット５側には、メディア再生デバイス３の電子制御や表示基板との通信を行うメディア再生制御部３０、表示ユニット９の開閉動作を制御するための制御部（図示せず）、外部との電気的接続を行うためのコネクタ１１などから構成される。
【００５１】
メディア再生デバイス３に光ディスク２０（図２参照）が挿入され、再生操作されると、メディア再生デバイス３から出力される映像信号は、表示制御部３１に送られ、表示デバイス７で表示可能な信号に変換され、表示デバイス７より映像が表示される。
【００５２】
一方、メディア再生デバイス３から出力される音声信号は、音声出力部３３で適正な音声レベルに変換され、コネクタ１１より出力される。コネクタ１１の音声出力部にはヘッドフォン用のジャックが接続可能となっており、使用者はヘッドフォンを用いて再生された音声を聞き取ることができる。
【００５３】
あるいは、ヘッドフォン以外に赤外線を用いて音声信号を送信し、この音声信号を受信できる受信手段及び受信した信号を音声に変換する変換手段を備えたヘッドフォンやスピーカユニットを用いて、メディア再生デバイス３から出力される音声を聴取することが可能である。
【００５４】
このように、本発明の第１実施形態のメディア再生表示装置１によれば、天井搭載にてメディア再生デバイス３と収納時の表示ユニット９を斜め下向きに搭載することにより、メディア再生ユニット５のメディア挿脱部が天井１３内に隠れず、光ディスク２０の挿脱も容易となり、天井１３内の空間を有効利用できるため厚さ方向の寸法を薄くできるものである。
【００５５】
また、メイン基板４を天井１３側に搭載し、メディア再生デバイス３と当たる部分に穴を開け、メイン基盤４をメディア再生デバイス３と重ねて配置した構成を有することにより、奥行きおよび幅方向の寸法が小さなまま厚さ方向の寸法を薄くすることができ、さらに穴を通じて装置内の熱を上方に逃がすことができるため、装置内の温度上昇を抑えることができる。
【００５６】
そして、表示基板８を表示ユニット９の回転機構１０側に配置した構造を有することにより、厚さ方向の寸法を薄くしたまま、装置全体の形状をフラットにすることができるのでデザイン性を向上できるものである。すなわち、収納時の表示デバイス７と表示基板８を斜め下向きに搭載したが、表示デバイス７に比べて表示基板８は奥行方向の寸法が短く、回路部品も実装されている。
【００５７】
そのため、収納時の表示ユニット９を横からみて三角形状とし、回転機構１０側に表示基板を配置すれば空間を有効に使用でき、表示ユニット収納時のメディア再生表示装置１が、下面を天井面１３と平行とすることができるので、薄型化と同時にデザイン性に優れたものとなる。
【００５８】
（第２実施形態）
図５は、本発明の第２実施形態のメディア再生表示装置４１の断面図を示す。このメディア再生表示装置１は、取付面である天井５３に若干埋没した状態で取り付けられており、メディア再生ユニットケース４２でメディア再生ユニット４５を覆った状態になっている。これは、主に不要輻射対策あるいは防塵対策のためにもちいられている。
また、表示ユニット４９は表示ユニット４９を開閉するための回動機構５０の支軸を介してメディア再生表示装置４１に取り付けられている。さらに、メディア再生ユニット４５と表示ユニット４９を電気的に接続する接続ケーブル５２とを有しており、メディア再生ユニット５５と表示ユニット４９との間で映像信号などの電気信号や制御信号などの送受信を行っている。
【００５９】
本実施の形態において、以下メディア再生ユニット４５としてＤＶＤ（Digital Versatile Disc）を１枚ずつ挿入して再生するためのＤＶＤ再生ユニットを例に説明をおこなうが、本発明の第１実施形態と同様に他のメディア再生ユニットを用いてもよい。
また、本発明の第２実施形態のメディア再生表示装置４１のシステムブロックに関する説明は、第１実施形態のメディア再生表示装置１と同様であるので、その詳細な説明を省略する。
【００６０】
メディア再生ユニット４５において、挿入された光ディスクの再生を行うための図示しない光ピックアップやターンテーブルなどのメカトロ部品を内蔵したメディア再生デバイス４３はメディア挿入口６１がメディア再生表示装置４１の取付面である床面５３に対して斜め上向きに搭載され、再生すべきメディアを上方向から斜め下方向に向けて挿入可能となるように固定されている。このように、操作者が上方向から斜め下方向に向けて再生したいメディアを挿入できるため、挿入操作が楽になり、メディア再生ユニットが固定されているため、外部からの振動を受けても安定してメディア挿入操作ができる。
【００６１】
また、メディア再生デバイス３４を電気的に制御するための電子部品などを搭載したメディア再生デバイス制御部３０は、メディア再生表示装置４１全体の電子制御を行うための電子部品などを搭載し、床面５３に並行に設置されたメディア再生デバイスおよび表示ユニット４９を制御する制御基板（以下メイン基板と言う）４４上に設けられている。
【００６２】
そして、メイン基板４４の上には、メディア挿入口６１が下になるようメディア再生デバイス４３を斜め上向きに搭載すると、メディア再生デバイス４３の最後部の角が当たるため、その部分のみメイン基板４４に穴を開けている。つまり、メディア再生デバイス４３の一部とメイン基板４４が高さ方向において重なるように配置されている。これによりメディア再生デバイス４３を更に下方に搭載することができ、メディア再生装置４１の、更なる薄型化を実現している。
【００６３】
さらに、メイン基板４４には、外部からメディア再生表示装置４１への電源を受給したり、あるいは、メディア再生デバイス４３が出力する映像信号や音声信号を制御する映像出力部や音声出力部を介し外部機器へ音声信号や映像信号などを出力するためのコネクタ５１が設けられている。
【００６４】
表示ユニット４９は、内部に液晶ディスプレイ、有機ＥＬディスプレイ、無機ＥＬディスプレイ、ＦＥＤ（Field Emission Display）、ＳＥＤ（Surface-conduction Electron-emitter Display）、ＶＦＤ（Vacuum Fluorescent Display）、プラズマディスプレイ、ブラウン管などの表示デバイス４７と、表示デバイス４７を電子制御する表示デバイス制御部を有した表示基板４８と、これらを覆うケース４６などから構成されている。
【００６５】
また、表示ユニット４９の収納時には表示デバイス４７が斜め上向きになるよう配置され、表示基板４８は、表示ユニットを収納するための回転機構５０側に配置された構成としている。
【００６６】
なお、本発明の第２実施形態の表示装置４１の動作説明は、第１実施形態のメディア再生表示装置１に対して、表示およびメディア挿入の天地方向が逆になる点が異なるもので、それ以外は同様であるので、その詳細な説明を省略する。
【００６７】
このように、本発明の第２実施形態のメディア再生表示装置４１によれば、床搭載にてメディア再生デバイス４３と収納時の表示ユニット４９を斜め下向きに搭載することにより、メディア再生ユニット４５のメディア挿脱部が床面１３内に隠れず、光ディスク２０の挿脱も容易となり、床面５３内の空間を有効利用できるため厚さ方向の寸法を薄くできるものである。
【００６８】
また、メイン基板４４を床面５３側に搭載し、メディア再生デバイス４３と当たる部分に穴を開け、メイン基板４４をメディア再生デバイス４３と重ねて配置した構成を有することにより、奥行きおよび幅方向の寸法が小さなまま厚さ方向の寸法を薄くすることができ、さらに穴を通じて装置内の熱を下方に逃がすことができるため、装置内の温度上昇を抑えることができる。
【００６９】
そして、表示基板４８を表示ユニット４９の回転機構５０側に配置した構造を有することにより、厚さ方向の寸法を薄くしたまま、装置全体の形状をフラットにすることができるのでデザイン性を向上できるものである。すなわち、収納時の表示デバイス４７と表示基板４８を斜め上向きに搭載したが、表示デバイス４７に比べて表示基板４８は奥行き方向の寸法が短く、回路部品も実装されている。そのため、収納時の表示ユニット４９を横から見て三角形状とし、回転機構１０側に表示基板を配置すれば空間を有効に使用でき、表示ユニット収納時のメディア再生表示装置４１の上面を床面１３と平行とすることができるので、薄型化と同時にデザイン性に優れたものとなる。
【産業上の利用可能性】
【００７０】
以上のように、本発明に係るメディア再生表示装置は、メディア再生ユニットと収納時の表示ユニットを搭載面に対して斜め向きに搭載した構成を設けることにより、メディア再生デバイスのメディア挿脱部が搭載面に隠れず、メディアを斜め方向に向けて挿脱可能なためメディアの挿脱も容易となり、天井内あるいは床内の空間を有効利用できるため装置の厚さ方向の寸法を薄くできるという効果を有し、車両、航空機、船などの天井あるいは床に搭載されるメディア再生ユニットと表示ユニットを一体化した装置等として有用である。
【図面の簡単な説明】
【００７１】
【図１】本発明の第１実施形態におけるメディア再生表示装置の側面断面図
【図２】本発明の第１実施形態のメディア再生表示装置を車両に搭載した状態の側面図
【図３】本発明の第１実施形態のメディア再生表示装置を車両に搭載した状態の正面図
【図４】本発明の第１および第２実施形態におけるメディア再生表示装置のブロック図
【図５】本発明の第２実施形態におけるメディア再生表示装置の断面図
【図６】本発明の第２実施形態のメディア再生表示装置を車両に搭載した状態の側面図
【図７】本発明の第２実施形態のメディア再生表示装置を車両に搭載した状態の正面図
【図８】従来のメディア再生デバイスと収納時の表示デバイスを上下に水平に重ねた表示装置を示す図
【図９】従来のメディア再生デバイスと収納時の表示デバイスを前後に並べた表示装置を示す図
【図１０】従来のメディア再生デバイスと収納時の表示デバイスを左右に並べた表示装置を示す図
【符号の説明】
【００７２】
１  メディア再生表示装置
２  メディア再生ユニットのケース
３  メディア再生デバイス
４  メディア再生デバイス用制御基板（メイン基板）
５  メディア再生ユニット
６  表示ユニットのケース
７  表示デバイス
８  表示デバイス用制御基板
９  表示ユニット
１０  回転機構
１１  コネクタ
１２  接続ケーブル
１３  天井
２０  光ディスク（メディア）
２１  光ディスク挿入口（メディア挿入口）
３０  メディア再生制御部
３１  表示制御部
３２  映像出力部
３３  音声出力部
４１  第２実施形態のメディア再生表示装置
４２  第２実施形態のメディア再生ユニットのケース
４３  第２実施形態のメディア再生デバイス
４４  第２実施形態のメディア再生デバイス用制御基板（メイン基板）
４５  第２実施形態のメディア再生ユニット
４６  第２実施形態の表示ユニットのケース
４７  第２実施形態の表示デバイス
４８  第２実施形態の表示デバイス用制御基板
４９  第２実施形態の表示ユニット
５０  第２実施形態の回転機構
５１  第２実施形態のコネクタ
５２  第２実施形態の接続ケーブル
５３  床
６１  第２実施形態の光ディスク挿入口（メディア挿入口）
８１  従来のメディア再生デバイス
８２  従来の表示デバイス
【図１】
2006024990.tif 000003
【図２】
2006024990.tif 000004
【図３】
2006024990.tif 000005
【図４】
2006024990.tif 000006
【図５】
2006024990.tif 000007
【図６】
2006024990.tif 000008
【図７】
2006024990.tif 000009
【図８】
2006024990.tif 000010
【図９】
2006024990.tif 000011
【図１０】
2006024990.tif 000012